(57)【要約】【課題】燃焼廃棄するＬＮＧを極力抑えて残留ＬＮＧを有効利用することが可能であり、回収されたＬＮＧを利用する場合でも送ガスの品質低下を回避することが可能であり、また、送液配管内での残液の恐れを無くすことが可能な残留ＬＮＧ回収方法を提供する。【解決手段】送液ライン１５にＢＯＧ圧縮機９により圧縮されたＢＯＧを供給可能とするＢＯＧライン１０を接続し、回収工程において、ＢＯＧ圧縮機９で圧縮されたＢＯＧをＢＯＧライン１０、送液ライン１５、ＬＮＧ受入管１７を介して輸送タンク１２へ供給し、輸送タンク内の気化されたＬＮＧ及びＢＯＧをガス排出管１８および戻りガスライン１６を介してＢＯＧ送出本管８へ戻す。回収工程において、圧縮されたＢＯＧをＢＯＧライン１０、送液ライン１５、ＬＮＧ受入管１７を介して輸送タンク１２をバイパスするバイパス通路１９を通し、ガス排出管１８および戻りガスライン１６を介してＢＯＧ送出本管８へ戻すようにしてもよい。【選択図】        図１
2014031829.tif 000002
【特許請求の範囲】
【請求項１】
ＬＮＧ貯蔵タンクの送液本管に接続され、基地側液遮断弁により開閉される送液ラインと、
ＬＮＧ貯蔵タンクのＢＯＧ送出本管に接続され、基地側ガス遮断弁により開閉される戻りガスラインと、
輸送タンクに接続され、輸送タンク側液遮断弁により開閉されると共に前記送液ラインと接続可能なＬＮＧ受入管と、
輸送タンクに接続され、輸送タンク側ガス遮断弁により開閉されると共に前記戻りガスラインと接続可能なガス排出管と、
前記輸送タンク側に設けられ、前記ＬＮＧ受入管の輸送タンク側液遮断弁より上流側と前記ガス排出管の前記輸送タンク側ガス遮断弁より下流側とを接続し、バイパス弁により開閉されるバイパス通路と、
前記送液ラインの前記基地側液遮断弁の下流側に接続され、ＢＯＧ遮断弁により開閉されると共に前記ＢＯＧ送出本管に設けられたＢＯＧ圧縮機により圧縮されたＢＯＧを前記送液ラインへ供給可能とするＢＯＧラインと、
を備える出荷設備の残留ＬＮＧを回収する残留ＬＮＧ回収方法であって、
前記送液ラインと前記ＬＮＧ受入管、及び、前記戻りガスラインと前記ガス排出管をそれぞれ接続した状態において、前記ＬＮＧタンクから前記輸送タンクへのＬＮＧの送液作業を行った後に、前記基地側液遮断弁を閉、前記輸送タンク側液遮断弁を開、前記輸送タンク側ガス遮断弁を開、前記基地側ガス遮断弁を開、前記バイパス弁を閉、前記ＢＯＧ遮断弁を開として、前記ＢＯＧ圧縮機で圧縮されたＢＯＧを前記ＢＯＧラインを介して前記送液ラインの前記基地側液遮断弁より下流側に供給する第１回収工程を行うことを特徴とする残留ＬＮＧ回収方法。
【請求項２】
ＬＮＧ貯蔵タンクの送液本管に接続され、基地側液遮断弁により開閉される送液ラインと、
ＬＮＧ貯蔵タンクのＢＯＧ送出本管に接続され、基地側ガス遮断弁により開閉される戻りガスラインと、
輸送タンクに接続され、輸送タンク側液遮断弁により開閉されると共に前記送液ラインと接続可能なＬＮＧ受入管と、
輸送タンクに接続され、輸送タンク側ガス遮断弁により開閉されると共に前記戻りガスラインと接続可能なガス排出管と、
前記輸送タンク側に設けられ、前記ＬＮＧ受入管の輸送タンク側液遮断弁より上流側と前記ガス排出管の前記輸送タンク側ガス遮断弁より下流側とを接続し、バイパス弁により開閉されるバイパス通路と、
前記送液ラインの前記基地側液遮断弁の下流側に接続され、ＢＯＧ遮断弁により開閉されると共に前記ＢＯＧ送出本管に設けられたＢＯＧ圧縮機により圧縮されたＢＯＧを前記送液ラインへ供給可能とするＢＯＧラインと、
を備える出荷設備の残留ＬＮＧを回収する残留ＬＮＧ回収方法であって、
前記送液ラインと前記ＬＮＧ受入管、及び、前記戻りガスラインと前記ガス排出管をそれぞれ接続した状態において、前記ＬＮＧタンクから前記輸送タンクへのＬＮＧの送液作業を行った後に、前記基地側液遮断弁を閉、前記輸送タンク側液遮断弁を閉、前記輸送タンク側ガス遮断弁を閉、前記基地側ガス遮断弁を開、前記バイパス弁を開、前記ＢＯＧ遮断弁を開として、前記ＢＯＧ圧縮機で圧縮されたＢＯＧを前記ＢＯＧラインを介して前記送液ラインの前記基地側液遮断弁の下流側に供給する第２回収工程を行うことを特徴とする残留ＬＮＧ回収方法。
【請求項３】
前記第１回収工程の後に、
前記基地側液遮断弁を閉、前記輸送タンク側液遮断弁を閉、前記輸送タンク側ガス遮断弁を閉、前記基地側ガス遮断弁を開、前記バイパス弁を開、前記ＢＯＧ遮断弁を開として、前記ＢＯＧ圧縮機で圧縮されたＢＯＧを前記ＢＯＧラインを介して前記送液ラインの前記基地側液遮断弁の下流側に供給する第２回収工程を行うことを特徴とする請求項１記載の残留ＬＮＧ回収方法。
【請求項４】
前記送液ラインの前記基地側液遮断弁の下流側に接続され、窒素ガス遮断弁により開閉されて窒素ガスを前記送液ラインへ供給可能とする窒素ガスラインと、前記戻りガスラインの前記基地側ガス遮断弁の上流側に接続され、廃棄遮断弁により開閉されて残留物をフレアスタックへ導く廃棄通路とを更に設け、
前記第２回収工程の後に、前記基地側液遮断弁を閉、前記輸送タンク側液遮断弁を閉、前記輸送タンク側ガス遮断弁を閉、前記基地側ガス遮断弁を閉、前記バイパス弁を開、前記ＢＯＧ遮断弁を閉、前記窒素ガス遮断弁を開、前記廃棄遮断弁を開として、前記窒素ガスを、前記窒素ガスラインを介して前記送液ラインの前記基地側液遮断弁より下流側に供給することを特徴とする請求項２又は３記載の残留ＬＮＧ回収方法。
【請求項５】
前記戻りガスラインを介して前記ＢＯＧ送出本管へ戻されたＬＮＧ及びＢＯＧは、前記ＢＯＧ圧縮機で圧縮されて利用されることを特徴とする請求項１乃至４記載の残留ＬＮＧ回収方法。
【発明の詳細な説明】
【技術分野】
【０００１】
本発明は、ＬＮＧ出荷設備において、ＬＮＧを輸送タンクに送液して出荷時の作業の最終段階として輸送タンクを出荷設備の基地側装置から切り離す際に行われる送液配管内に残留するＬＮＧの回収方法に関する。
【背景技術】
【０００２】
液化天然ガス（以下ＬＮＧ）の国内輸送形態としては、ＬＮＧ貯蔵施設を持つＬＮＧ基地から、ＬＮＧローリやＬＮＧ内航船等の輸送タンクにＬＮＧを積み込んで輸送する形態が採用される。
【０００３】
ＬＮＧ貯蔵施設内の液面は地表から高い所にある事が多いことから、出荷設備から輸送タンクを切り離す最終段階においては、送液配管内にＬＮＧが残留することになる。ＬＮＧはマイナス約１６０度と極低温の液化ガスであり、蒸発すると可燃性ガスになることから、配管切り離し前に残液を除去しておかないと、切り離した際にＬＮＧが床面にこぼれて空気中に蒸発し、引火（最悪の場合は爆発）の恐れが懸念される。
【０００４】
このため、出荷設備から輸送タンクを切り離す直前に、配管内のＬＮＧ残液及び残ガスを除去しておく必要があり、従来においては、配管内のＬＮＧ残液及び残ガスを除去するために、窒素ガスを入れてＬＮＧ残液及び残ガスをフレアスタックへ導き、大気中に燃焼して廃棄する方法が多用されている。
【０００５】
しかし、この方式では、少量とは言えＬＮＧを大気中で無駄に燃焼させて、二酸化炭素を放出する事になり、また、フレアスタックでの燃焼においては、フレアスタックから数メートル程度の高さの炎が数分程度上がる場合もあり、付近の住民に対して不安感を与えることもある。
【０００６】
そこで、輸送タンクに接続されたＬＮＧ受け入れ管とガス排出管とを仕切り弁を備えた連結管で接続しておき、輸送タンクへのＬＮＧの移送が完了した後に、出荷側ＬＮＧ遮断弁、荷受け側ＬＮＧ遮断弁、及びガス排出弁をそれぞれ閉じて仕切り弁を開け、ＬＮＧ払い出し管内に不活性ガス（窒素ガス）を供給し、ガス受け入れ管内の天然ガスが一定濃度以下になるまで、ＬＮＧ払い出し管、ＬＮＧ受け入れ管、連結管、ガス排出管、及びガス受け入れ管内に流して、それぞれの管内に溜まった天然ガスの追い出し及び回収を行う方法が提案されている（特許文献１参照）。
【先行技術文献】
【特許文献】
【０００７】
【特許文献１】特開２００６−３０７９３６号公報
【発明の概要】
【発明が解決しようとする課題】
【０００８】
しかしながら、上述の回収方法においては、不活性ガスとして窒素ガスを使用するため、回収したガスを電力用のガスタービンなどの燃焼用ガスに利用する場合には、ガス中に混在している窒素ガスにより失火等のトラブルを起こすことが懸念される。また、回収された天然ガスに窒素ガスが不規則に混入されると、送ガスに混入した際に発熱量変動を招き、送ガスの品質が落ちることになる。
そこで、不活性ガス（窒素ガス）の替わりに気化した天然ガスで配管からの追い出しおよび回収を行う方法も考えられるが、気化した天然ガスにはブタンなどの重質分が含まれているため、マイナス１６０度近いＬＮＧで冷却された送液配管に通すと、これら重質分が再液化を起こして、逆に送液配管内に残留する恐れがある。
【０００９】
本発明は、係る事情に鑑みてなされたものであり、燃焼廃棄するＬＮＧを極力抑えて残留ＬＮＧを有効利用することが可能であり、回収されたＬＮＧを利用する場合においても送ガスの品質低下を回避することが可能であり、さらに送液配管内での残液の恐れを無くすことが可能な残留ＬＮＧ回収方法を提供することを主たる課題としている。
【課題を解決するための手段】
【００１０】
ＬＮＧ貯蔵施設においては、貯蔵施設から常時排出されるＢＯＧ（ボイリング・オフ・ガス）を有効利用するため、排出されたＢＯＧをＢＯＧ圧縮機によって加圧し、ＬＮＧを気化させたガス中に混入して送ガスするケースが多い。
このＢＯＧは、メタンガスほぼ１００％であり重質分をほとんど含んでいない。またＢＯＧそのものは温度が低いが、加圧時に温度上昇するため、常温近くになる。そこで、本発明者は、このようなＢＯＧの性質を利用すれば、送液配管内のＬＮＧを不純物を含まずに回収でき、また、送液配管内での残液を無くすことが可能になるとの知見に基づき、本発明を完成するに至った。
【００１１】
即ち、本発明に係る残留ＬＮＧ回収方法は、ＬＮＧ貯蔵タンクの送液本管に接続され、基地側液遮断弁により開閉される送液ラインと、ＬＮＧ貯蔵タンクのＢＯＧ送出本管に接続され、基地側ガス遮断弁により開閉される戻りガスラインと、輸送タンクに接続され、輸送タンク側液遮断弁により開閉されると共に前記送液ラインと接続可能なＬＮＧ受入管と、輸送タンクに接続され、輸送タンク側ガス遮断弁により開閉されると共に前記戻りガスラインと接続可能なガス排出管と、前記輸送タンク側に設けられ、前記ＬＮＧ受入管の輸送タンク側液遮断弁より上流側と前記ガス排出管の前記輸送タンク側ガス遮断弁より下流側とを接続し、バイパス弁により開閉されるバイパス通路と、前記送液ラインの前記基地側液遮断弁の下流側に接続され、ＢＯＧ遮断弁により開閉されると共に前記ＢＯＧ送出本管に設けられたＢＯＧ圧縮機により圧縮されたＢＯＧを前記送液ラインへ供給可能とするＢＯＧラインと、を備える出荷設備の残留ＬＮＧを回収する残留ＬＮＧ回収方法であって、前記送液ラインと前記ＬＮＧ受入管、及び、前記戻りガスラインと前記ガス排出管をそれぞれ接続した状態において、前記ＬＮＧタンクから前記輸送タンクへのＬＮＧの送液作業を行った後に、前記基地側液遮断弁を閉、前記輸送タンク側液遮断弁を開、前記輸送タンク側ガス遮断弁を開、前記基地側ガス遮断弁を開、前記バイパス弁を閉、前記ＢＯＧ遮断弁を開として、前記ＢＯＧ圧縮機で圧縮されたＢＯＧを前記ＢＯＧラインを介して前記送液ラインの前記基地側液遮断弁より下流側に供給する第１回収工程を行うことを特徴としている。
【００１２】
したがって、輸送タンクへのＬＮＧの送液作業を行った後に、第１回収工程を行えば、ＢＯＧ圧縮機により圧縮されたＢＯＧが、ＢＯＧライン、送液ラインの基地側液遮断弁よりも下流側の部分、及びＬＮＧ受入管を介して輸送タンクへ供給されるので、送液ラインやＬＮＧ受入管に残留したＬＮＧを送付タンクに押し出して回収することが可能となる。そして、輸送タンク内で気化されたＬＮＧや輸送タンク内に発生するＢＯＧは、ガス排出管および戻りガスラインを介してＢＯＧ送出本管へ戻されることになる。
【００１３】
また、本発明に係る残留ＬＮＧ回収方法は、ＬＮＧ貯蔵タンクの送液本管に接続され、基地側液遮断弁により開閉される送液ラインと、ＬＮＧ貯蔵タンクのＢＯＧ送出本管に接続され、基地側ガス遮断弁により開閉される戻りガスラインと、輸送タンクに接続され、輸送タンク側液遮断弁により開閉されると共に前記送液ラインと接続可能なＬＮＧ受入管と、輸送タンクに接続され、輸送タンク側ガス遮断弁により開閉されると共に前記戻りガスラインと接続可能なガス排出管と、前記輸送タンク側に設けられ、前記ＬＮＧ受入管の輸送タンク側液遮断弁より上流側と前記ガス排出管の前記輸送タンク側ガス遮断弁より下流側とを接続し、バイパス弁により開閉されるバイパス通路と、前記送液ラインの前記基地側液遮断弁の下流側に接続され、ＢＯＧ遮断弁により開閉されると共に前記ＢＯＧ送出本管に設けられたＢＯＧ圧縮機により圧縮されたＢＯＧを前記送液ラインへ供給可能とするＢＯＧラインと、を備える出荷設備の残留ＬＮＧを回収する残留ＬＮＧ回収方法であって、前記送液ラインと前記ＬＮＧ受入管、及び、前記戻りガスラインと前記ガス排出管をそれぞれ接続した状態において、前記ＬＮＧタンクから前記輸送タンクへのＬＮＧの送液作業を行った後に、前記基地側液遮断弁を閉、前記輸送タンク側液遮断弁を閉、前記輸送タンク側ガス遮断弁を閉、前記基地側ガス遮断弁を開、前記バイパス弁を開、前記ＢＯＧ遮断弁を開として、前記ＢＯＧ圧縮機で圧縮されたＢＯＧを前記ＢＯＧラインを介して前記送液ラインの前記基地側液遮断弁の下流側に供給する第２回収工程を行うことを特徴としている。
【００１４】
したがって、輸送タンクへのＬＮＧの送液作業を行った後に、第２回収工程を行えば、ＢＯＧ圧縮機により圧縮されたＢＯＧが、ＢＯＧライン、送液ラインの基地側液遮断弁よりも下流側の部分、ＬＮＧ受入管の輸送タンク側液遮断弁よりも上流側の部分を介して前記バイパス通路に供給され、前記ガス排出管の前記輸送タンク側ガス遮断弁よりも下流側および戻りガスラインを介してＢＯＧ送出本管へ戻されるので、送液ラインの基地側液遮断弁よりも下流側でＬＮＧ受入管の輸送タンク側液遮断弁よりも上流側に残留したＬＮＧを供給された圧縮ＢＯＧの熱によって気化させて、バイパス通路、ガス排出管、及び戻りガスラインを介してＢＯＧ送出本管に回収させることが可能となる。
【００１５】
この第２回収工程は、単独で行うようにしてもよいが、第１回収工程の後に行うことで、より確実に送液配管内のＬＮＧを回収することが可能となる。また、第２回収工程の後には、ＢＯＧが配管内に残留することになるが、ＢＯＧは可燃性ガスであるので、残留ＢＯＧを除去するために、前記送液ラインの前記基地側液遮断弁よりも下流側に接続され、窒素ガス遮断弁により開閉されて窒素ガスを前記送液ラインへ供給可能とする窒素ガスラインと、前記戻りガスラインの前記基地側ガス遮断弁よりも上流側に接続され、廃棄遮断弁により開閉されて残留物をフレアスタックへ導く廃棄通路とを更に設け、前記第２回収工程の後に、前記基地側液遮断弁を閉、前記輸送タンク側液遮断弁を閉、前記輸送タンク側ガス遮断弁を閉、前記基地側ガス遮断弁を閉、前記バイパス弁を開、前記ＢＯＧ遮断弁を閉、前記窒素ガス遮断弁を開、前記廃棄遮断弁を開として、前記窒素ガスを、前記窒素ガスライン、前記送液ライン、前記ＬＮＧ受入管を介して前記バイパス通路へ供給し、前記ガス排出管および戻りガスラインを介して前記廃棄通路に導くことが望ましい。
【００１６】
また、前記戻りガスラインを介して前記ＢＯＧ送出本管へ戻されたＢＯＧや気化されたＬＮＧは、前記ＢＯＧ圧縮機で圧縮して再利用するとよい。
【発明の効果】
【００１７】
以上述べたように、本発明に係る残留ＬＮＧ回収方法によれば、従来大気中で無駄に燃焼させていたＬＮＧを有効に回収することが可能となり、フレアスタックでの二酸化炭素の放出を低減することが可能となり、フレアスタックから発生する炎を小さく、且つ、燃焼時間を短くできるので、近隣住民に与える不安感を小さくすることが可能となる。
【００１８】
また、残留ＬＮＧを窒素ガスを混在しない形で回収することが可能となるので、回収物をＬＮＧを気化させたガス中に混入して利用する場合でも、送ガスの発熱量の変動を招くことがなくなり、送ガスの品質低下を招くことがなくなる。
【００１９】
さらに、圧縮されたＢＯＧを用いるので、重質分が含まれていないため、送液配管を通す際に再液化することもなくなり、送液配管内の残液の恐れを無くすことも可能となる。
【図面の簡単な説明】
【００２０】
【図１】図１は、本発明に係る残留ＬＮＧの回収方法に適したＬＮＧ出荷設備とＬＮＧ貯蔵設備２の構成例を示す全体構成図である。
【図２】図２は、各工程での各弁の開閉状態を示す表である。
【図３】図３は、第１回収工程を説明する出荷設備の状態を示す図である。
【図４】図４は、第２回収工程を説明する出荷設備の状態を示す図である。
【図５】図５は、残留ＢＯＧを除去する窒素ガスを供給する状態を示す図である。
【発明を実施するための形態】
【００２１】
以下、本発明に係る残留ＬＮＧ回収方法について、図面を参照しながら説明する。
図１において、本発明に係る残留ＬＮＧの回収方法に適したＬＮＧ出荷設備１がＬＮＧ貯蔵設備２共に示されている。ＬＮＧ貯蔵設備２は、ＬＮＧ貯蔵タンク３の出荷本管４に、ＬＮＧ貯蔵タンク３に貯蔵されたＬＮＧを圧送するＬＮＧポンプ５とこのＬＮＧポンプ５で圧送されたＬＮＧを気化するＬＮＧ気化器６を設け、ＬＮＧ気化器６で気化されたＬＮＧを送ガスライン７を介して消費先へ供給するようにしている。
【００２２】
また、ＬＮＧ貯蔵タンク３内で発生するＢＯＧをＢＯＧ送出本管８を介して送出し、このＢＯＧ送出本管８にＢＯＧを圧縮するＢＯＧ圧縮機９を設け、このＢＯＧ圧縮機９で圧縮されたＢＯＧを、ＢＯＧライン１０を介して送ガスライン７に供給し、ＬＮＧ気化器６で気化されたＬＮＧに混入して消費先へ供給すると共に、後述する送液ライン１５にＢＯＧ遮断弁２２を介して供給可能としている。
【００２３】
ＬＮＧの出荷設備１は、ＬＮＧ貯蔵設備２に接続された基地側装置１１と、タンクローリに搭載される輸送タンク１２に接続された輸送タンク側装置１３とから構成されているもので、基地側装置１１は、前記出荷本管４のＬＮＧポンプ５とＬＮＧ気化器６との間に接続された送液ライン１５と、ＢＯＧ送出本管８に接続された戻りガスライン１６とを備えている。
【００２４】
送液ライン１５は、自動開閉可能な基地側液遮断弁２１により開閉可能となっており、この基地側液遮断弁２１よりも下流側の部位に前記ＢＯＧライン１０が分岐されて接続されると共に、窒素ガスを供給可能とする窒素ガスライン２３が接続されている。送液ライン１５に接続されたＢＯＧライン１０は、分岐点より下流側の部分でＢＯＧ遮断弁２２により開閉可能となっており、また、窒素ガスライン２３は、窒素ガス遮断弁２４を介して接続されている。
【００２５】
戻りガスライン１６は、自動開閉可能な基地側ガス遮断弁２５により開閉可能となっており、この基地側ガス遮断弁２５よりも上流側の部位にフレタスタックへ通じる廃棄通路２６が接続されている。この廃棄通路２６は、廃棄遮断弁２７により開閉可能となっている。
【００２６】
これに対して、輸送タンク側装置１３は、輸送タンク１２に接続されたＬＮＧ受入管１７とガス排出管１８とを備えている。
ＬＮＧ受入管１７は、輸送タンク１２の下部に接続されて輸送タンク側液遮断弁２８により開閉可能となっており、また、ガス排出管１８は、輸送タンク１２の上部に接続されて輸送タンク側ガス遮断弁２９により開閉可能となっている。
【００２７】
そして、送液ライン１５の先端部には、ＬＮＧ出側フランジ３１が設けられ、ＬＮＧ受入管１７の先端部には、ＬＮＧ出側フランジ３１と対をなすＬＮＧ受側フランジ３２が設けられ、これらフランジ３１，３２を連結することでＬＮＧの払出し経路が形成されるようになっている。また、ガス排出管１８の先端部には、ガス出側フランジ３３が設けられ、戻りガスライン１６の先端部には、ガス出側フランジ３３と対をなすガス受側フランジ３４が設けられ、これらフランジ３３，３４を連結することでガスの回収経路が形成されるようになっている。
【００２８】
さらに、ＬＮＧ受入管１７の輸送タンク側液遮断弁２８よりも上流側とガス排出管１８の輸送タンク側ガス遮断弁２９よりも下流側とは、バイパス弁３０により開閉可能なバイパス通路１９により連結されている。
【００２９】
なお、ＬＮＧ出側フランジ３１及びこれよりも上流側の設備機器と、ガス受側フランジ３４及びこれよりも下流側の設備機器は、基地側に固定配置され、ＬＮＧ受側フランジ３２及びこれよりも下流側の設備機器と、ガス出側フランジ３３及びこれよりも上流側の設備機器は、輸送タンク１２と共に移動可能になっている。なお、図中４０は、外航船からの受け入れラインである。
【００３０】
以上の構成において、輸送タンク１２にＬＮＧを充填する作業においては、タンクローリを所定位置に停止させて、輸送タンク側装置１３のフランジ（ＬＮＧ受側フランジ３２及びガス出側フランジ３３）を基地側装置１１のフランジ（ＬＮＧ出側フランジ３１及びガス受側フランジ３４）に連結し（ＬＮＧ受側フランジ３２をＬＮＧ出側フランジ３１に連結し、また、ガス出側フランジ３３をガス受側フランジ３４に連結する）、出荷設備の基地側装置１１と輸送タンク側装置１３とを接続する。
【００３１】
そして、この状態において、基地側液遮断弁２１を開、輸送タンク側液遮断弁２８を開、輸送タンク側ガス遮断弁２９を開、基地側ガス遮断弁２５を開、他の弁（バイパス弁３０、ＢＯＧ遮断弁２２、窒素ガス遮断弁２４、廃棄遮断弁２７）を閉として、ＬＮＧ貯蔵タンク３内のＬＮＧを出荷本管４から送液ライン１５、ＬＮＧ受入管１７を介して輸送タンク１２に充填し、同時にＬＮＧの詰め込み中にＬＮＧが気化して輸送タンク１２内に充満している天然ガスや輸送タンク１２内で発生するＢＯＧをガス排出管１８及び戻りガスライン１６を介してＢＯＧ送出本管８に戻すようにしている。
【００３２】
以上のようにして、輸送タンク１２へのＬＮＧの積み込み作業（送液作業）が完了すると、出荷設備１の基地側装置１１から輸送タンク１２を輸送タンク側装置１３と共に切り離す（輸送タンク側装置１３のフランジ［ＬＮＧ受側フランジ３２及びガス出側フランジ３３］を基地側装置１１のフランジ［ＬＮＧ出側フランジ３１及びガス受側フランジ３４］から切り離す）ことになるが、その直前において、送液側配管内（送液ライン１５及びＬＮＧ受入管１７内）に残留しているＬＮＧを回収する第１及び第２の回収作業を行う。
【００３３】
先ず、第１の回収作業について説明すると、この作業は、基地側液遮断弁２１を閉、輸送タンク側液遮断弁２８を開、輸送タンク側ガス遮断弁２９を開、基地側ガス遮断弁２５を開、バイパス弁３０を閉、ＢＯＧ遮断弁２２を開、窒素ガス遮断弁２４を閉、廃棄遮断弁２７を閉として、前記ＢＯＧ圧縮機９で圧縮されたＢＯＧをＢＯＧライン１０、送液ライン１５の基地側液遮断弁２１よりも下流側、ＬＮＧ受入管１７を介して輸送タンク１２へ供給する。すると、この供給された圧縮ＢＯＧにより、基地側液遮断弁２１より下流側の配管内に溜まっているＬＮＧが輸送タンク１２へ押し出され回収される。そして、輸送タンク内で気化された天然ガスや輸送タンク内で自然発生するＢＯＧは、ガス排出管１８および戻りガスライン１６を介してＢＯＧ送出本管８へ回収され、ＢＯＧ圧縮機９で圧縮された後に送ガスラインに導いてＬＮＧ気化器６で気化されたＬＮＧに混入して消費先へ供給する等して再利用される。
【００３４】
次に、第２の回収作業について説明すると、この作業は、基地側液遮断弁２１を閉、輸送タンク側液遮断弁２８を閉、輸送タンク側ガス遮断弁２９を閉、基地側ガス遮断弁２５を開、バイパス弁３０を開、ＢＯＧ遮断弁２２を開、窒素ガス遮断弁２４を閉、廃棄遮断弁２７を閉として、ＢＯＧ圧縮機９で圧縮されたＢＯＧをＢＯＧライン１０、送液ラインの基地側液遮断弁２１よりも下流側、ＬＮＧ受入管１７の輸送タンク側液遮断弁２８よりも上流側を介してバイパス通路１９へ供給する。すると、この供給された圧縮ＢＯＧにより、基地側液遮断弁２１より下流側で、ＬＮＧ受入管１７の輸送タンク側液遮断弁２８より上流側の配管内に溜まっているＬＮＧは、ＢＯＧの熱により気化されつつ、バイパス通路１９を通って、ガス排出管１８の輸送タンク側ガス遮断弁２９よりも下流側および戻りガスライン１６を介してＢＯＧ送出本管８へ回収され、ＢＯＧ圧縮機９で圧縮した後に送ガスラインに導いてＬＮＧ気化器６で気化されたＬＮＧに混入して消費先へ供給する等して再利用される。
【００３５】
この第２の回収作業は、第１の回収作業の後に行うことが好ましく、第１の回収作業で回収しきれなかったＬＮＧを回収するために有用である。なお、第１の回収作業では、常温に近いＢＯＧが輸送タンクに入ることで輸送タンク内への熱入力が考えられるので、これを避けるために第２の回収作業は、第１の回収作業を行わずに単独で行うようにしてもよい。
【００３６】
なお、以上の第２の回収作業を単独で、又は、第１の回収作業と組み合わせて行った場合には、出荷設備の配管内に可燃性ガスであるＢＯＧが残留した状態となるので、この残留しているＢＯＧを除去するために、基地側液遮断弁２１を閉、輸送タンク側液遮断弁２８を閉、輸送タンク側ガス遮断弁２９を閉、基地側ガス遮断弁２５を閉、バイパス弁３０を開、ＢＯＧ遮断弁２２を閉、窒素ガス遮断弁２４を開、廃棄遮断弁２７を開とし、窒素ガスを、窒素ガスライン２３、送液ライン１５の基地側液遮断弁２１よりも下流側、ＬＮＧ受入管１７の輸送タンク側液遮断弁２８よりも上流側を介してバイパス通路１９へ供給し、ガス排出管１８の輸送タンク側ガス遮断弁２９よりも下流側から戻りガスライン１６に接続された廃棄通路２６へ流し、配管内の残留ＢＯＧをフレアスタックへ導いて燃焼廃棄する。
【００３７】
したがって、上述の構成によれば、輸送タンク１２への送液作業が終了した後に、第１の回収作業及び第２の回収作業が行なわれるので、送液配管内に残留しているＬＮＧをＢＯＧによって輸送タンク１２やＢＯＧ圧縮機９の上流側に回収することが可能となり、従来大気中で無駄に燃焼させていたＬＮＧを有効に回収することが可能となる。また、フレアスタックでの燃焼廃棄は配管内に残留している可燃性ガス（ＢＯＧ）の分だけで済むため、フレアスタックから発生する炎を小さくでき、且つ、燃焼時間を短くできるので、フレアスタックでの二酸化炭素の放出を低減することが可能になり、また近隣住民に与える不安感を小さくすることが可能となる。
【００３８】
さらに、残留ＬＮＧを窒素ガスを混在しない形で回収することが可能となるので、回収したＬＮＧをＬＮＧ気化器６で気化させたガス中に混入させる場合でも、送ガスの発熱量の変動を招くことがなくなり、送ガスの品質低下を避けることが可能となる。しかも、重質分を含まないＢＯＧを用いて残留ＬＮＧを回収するので、ＢＯＧ送液ライン等に通す際に再液化することがなくなり、送液配管内の残液の恐れを無くすことが可能となる。
【００３９】
なお、上述の構成においては、輸送タンクが搭載された運搬手段としてタンクローリを用いた例を示したが、ＬＮＧ内航船を用いる場合等においても、同様に適用可能である。
【符号の説明】
【００４０】
１  出荷設備
２  貯蔵設備
４  送液本管
８  ＢＯＧ送出本管
１０  ＢＯＧライン
１２  輸送タンク
１５  送液ライン
１６  戻りガスライン
１７  ＬＮＧ受入管
１８  ガス排出管
１９  バイパス通路
２１  基地側液遮断弁
２２  ＢＯＧ遮断弁
２３  窒素ガスライン
２４  窒素ガス遮断弁
２５  基地側ガス遮断弁
２６  廃棄通路
２７  廃棄遮断弁
２８  輸送タンク側液遮断弁
２９  輸送タンク側ガス遮断弁
３０  バイパス弁
【図１】
2014031829.tif 000003
【図２】
2014031829.tif 000004
【図３】
2014031829.tif 000005
【図４】
2014031829.tif 000006
【図５】
2014031829.tif 000007